(57)【要約】【課題】本発明の解決しようとする課題は、通常の容器には、従来通り使用でき、かつポンプ式ボトル容器の様に、頭部の大きな容器に対しては、その頭部にしっかりと装着でき、しかも十分な長さの収納部を確保できる新規な構造のボトルネッカーを提案するものである。【解決手段】情報表示用の前面パウチ１と、境界線ａを介して該前面パウチ１に連設した係止板２と、前記境界線ａと平行な折目線ｃを介して前記前面パウチ１に連設したパウチ蓋片４と、前記係止板２の領域内に貫設した孔設部６と、前記境界線ａと平行に該孔設部６内を横断する帯部材３ａとを備え、前記孔設部６は、帯部材３ａにより上部孔設部６ａと、下部孔設部６ｂとに二分されていることを特徴とするボトルネッカーである。【選択図】図１
2011225255.tif 000002
【特許請求の範囲】
【請求項１】
情報表示用の前面パウチ１と、境界線ａを介して該前面パウチ１に連設した係止板２と、前記境界線ａと平行な折目線ｃを介して前記前面パウチ１に連設したパウチ蓋片４と、前記係止板２の領域内に貫設した孔設部６と、前記境界線ａと平行に該孔設部６内を横断する帯部材３ａとを備え、前記孔設部６は、帯部材３ａにより上部孔設部６ａと、下部孔設部６ｂとに二分されていることを特徴とするボトルネッカー。
【請求項２】
頭部が偏平であり、かつ頭部の外縁部が首部から張り出したボトル容器の頭部の外縁部を前記上部孔設部６ａと下部孔設部６ｂに通し、前記帯部材３ａが頭部の中央部に水平に配置されるようにしたことを特徴とする請求項１に記載のボトルネッカー。
【請求項３】
ボトル容器が頭部にポンプヘッドを有するポンプ式ボトル容器であることを特徴とする請求項２に記載のボトルネッカー。
【請求項４】
前記上部孔設部６ａおよび下部孔設部６ｂの、前記帯部材３ａに対向する外周に、それぞれ上部係止突起７ａ、下部係止突起７ｂを設けたことを特徴とする請求項３に記載のボトルネッカー。
【請求項５】
前記上部係止突起７ａおよび下部係止突起７ｂは、それぞれ上部係止突起溝８ａおよび下部係止突起溝８ｂを介して連設された複数の突起から構成されていることを特徴とする請求項４に記載のボトルネッカー。
【請求項６】
ボトルネッカー本体は２枚のフィルム材料により形成され、前記前面パウチ１は、該２枚のフィルムの外縁をヒートシールして成り、前記係止板２は、２枚のフィルムをヒートシールして１枚のシートとしたことを特徴とする請求項１〜５のいずれか１項に記載のボトルネッカー。
【発明の詳細な説明】
【技術分野】
【０００１】
本発明は、プラスチック製やガラス製のボトル容器において、広告などの情報を表示するとともに小物品を収納するために、容器上部に装着して使用するボトルネッカーに関する。
【背景技術】
【０００２】
一般的にボトルネッカーは、ボトル等の容器の首部に係止し、固定させる係止部と、その容器に収納された飲料、調味料等の内容物に関する商品情報や、商品広告情報等を表示した表示シートとを備えている。またその係止部に隣接して商品に関連した景品等を収納する収納部を備えたものもある。
【０００３】
従来のボトルネッカーとしては、例えば、特許文献１、特許文献２には、景品等を収納する収納部に隣接して、表示シートと、ボトル容器の首部（注出口部）に係止、固定させる係止部とを備えたものが記載されており、特許文献２には、収納部をミシン目を介して開封することが記載されている。
【０００４】
このような従来のボトルネッカーは、商品情報や商品広告情報等を表示した表示シートに一体的に隣接して景品等を収納する収納部を備える必要性から、その表示シート及び収納部をコンパクトなサイズにすることが難しい。また比較的に薄紙のシートにより作製されているために、シート材料の剛度が低いため強度に弱い面があった。
【０００５】
また従来のボトルネッカーは、対象とする容器として、胴部に対して首部が細くなっており、しかも首部の太さに対して、頭部の太さが等しいかあまり大きくない通常のボトル容器を対象としているため、上方から落とし込むように装入して、容器の肩の部分に引っ掛けて装着するものが一般的であった。
【先行技術文献】
【特許文献】
【０００６】
【特許文献１】実開昭６３−１０７９３３公報
【特許文献２】実開昭６１−４６５７６公報
【発明の概要】
【発明が解決しようとする課題】
【０００７】
ボトル容器の中で、例えばポンプ式ボトル容器のように、一般的に首部の太さに対して直径の大きい頭部を有しているボトルの場合、従来のボトルネッカーを従来の方法で装着しようとすると、頭部の大きさに合わせた直径の大きな孔を設けなければならないため、装着後にぶかぶかしてだらしのない状態になるという問題があった。
【０００８】
また、ポンプ式ボトル容器は、飲料の容器等と異なり、ずんぐりした形状の容器も多いが、このような容器に従来方式のボトルネッカーを装着した場合に、収納部の長さをあまり長くすると、収納部を引きずってしまうため、長い収納物が収納できないという問題があった。
【０００９】
本発明の解決しようとする課題は、上記の従来の問題点を解消し、通常の容器には、従来通り使用でき、かつポンプ式ボトル容器の様に、頭部の大きな容器に対しては、その頭部にしっかりと装着でき、しかも十分な長さの収納部を確保できる新規な構造のボトルネッカーを提案するものである。
【課題を解決するための手段】
【００１０】
上記の課題を解決するための手段として、請求項１に記載の発明は、情報表示用の前面パウチ１と、境界線ａを介して該前面パウチ１に連設した係止板２と、前記境界線ａと平行な折目線ｃを介して前記前面パウチ１に連設したパウチ蓋片４と、前記係止板２の領域内に貫設した孔設部６と、前記境界線ａと平行に該孔設部６内を横断する帯部材３ａとを備え、前記孔設部６は、帯部材３ａにより上部孔設部６ａと、下部孔設部６ｂとに二分されていることを特徴とするボトルネッカーである。
【００１１】
また、請求項２に記載の発明は、頭部が偏平であり、かつ頭部の外縁部が首部から張り出したボトル容器の頭部の外縁部を前記上部孔設部６ａと下部孔設部６ｂに通し、前記帯部材３ａが頭部の中央部に水平に配置されるようにしたことを特徴とする請求項１に記載のボトルネッカーである。
【００１２】
また、請求項３に記載の発明は、ボトル容器が頭部にポンプヘッドを有するポンプ式ボトル容器であることを特徴とする請求項２に記載のボトルネッカーである。
【００１３】
また、請求項４に記載の発明は、前記上部孔設部６ａおよび下部孔設部６ｂの、前記帯部材３ａに対向する外周に、それぞれ上部係止突起７ａ、下部係止突起７ｂを設けたことを特徴とする請求項３に記載のボトルネッカーである。
【００１４】
また、請求項５に記載の発明は、前記上部係止突起７ａおよび下部係止突起７ｂが、それぞれ上部係止突起溝８ａおよび下部係止突起溝８ｂを介して連設された複数の突起から構成されていることを特徴とする請求項４に記載のボトルネッカーである。
【００１５】
また、請求項６に記載の発明は、ボトルネッカー本体が２枚のフィルム材料により形成され、前記前面パウチ１は、該２枚のフィルムの外縁をヒートシールして成り、前記係止板２は、２枚のフィルムをヒートシールして１枚のシートとしたことを特徴とする請求項１〜５のいずれか１項に記載のボトルネッカーである。
【発明の効果】
【００１６】
本発明に係るボトルネッカーは、情報表示用の前面パウチ１と、境界線ａを介して該前面パウチ１に連設した係止板２と、前記境界線ａと平行な折目線ｃを介して前記前面パウチ１に連設したパウチ蓋片４と、前記係止板２の領域内に貫設した孔設部６と、前記境界線ａと平行に該孔設部６内を横断する帯部材３ａとを備え、前記孔設部６は、帯部材３ａにより上部孔設部６ａと、下部孔設部６ｂとに二分されていることを特徴とする。
【００１７】
このため、本発明に係るボトルネッカーは、前面パウチ１内には小物品Ｂを収納することができ、かつ前面パウチ１の表面および裏面に、各種宣伝用のフレーズや、小物品に関する必要な説明文等を表示することができる。
【００１８】
また、本発明に係るボトルネッカーは、孔設部６を横断する帯部材３ａを設け、孔設部６を帯部材３ａにより上部孔設部６ａと、下部孔設部６ｂとに二分したので、特別の組み立て操作を必要とせず、帯部材３ａとそれ以外の部分との間に、引っ掛けようとするボトルの首部等を通すだけの簡単な操作で、ボトルに装着することができる。
【００１９】
ボトルネッカーを装着しようとするボトル容器が、頭部が偏平であり、かつ頭部の外縁部が首部から張り出した形状のボトル容器である場合には、頭部の外縁部を前記上部孔設部６ａと下部孔設部６ｂに通し、前記帯部材３ａが頭部の中央部に水平に配置されるようにすることができるため、従来のボトルネッカーと異なり、ぶかぶかしたりせず、しっか
りと装着することができる。従って、ボトル容器が頭部にポンプヘッドを有するポンプ式ボトル容器である場合にも好適に使用することができる。
【００２０】
またこの場合、装着位置が、ボトルの最も高い位置である頭部の上面であるため、前面パウチ１の長さを十分に確保することが可能である。従って、あまり高さの高くないボトルに対しても、前面パウチ１に細長い物品を収納して、下面を引きずることなく、装着することができる。
【００２１】
また、さらに前記帯部材３ａがよく目立つ頭部の中央部に水平に配置されるため、この部分を良好な宣伝媒体として利用することができる。
【００２２】
また、前記上部孔設部６ａおよび下部孔設部６ｂの、前記帯部材３ａに対向する外周に、それぞれ上部係止突起７ａ、下部係止突起７ｂを設けた場合には、これらの係止突起がポンプ頭部裏側のくぼみに納まるため、装着後にボトルネッカーがふらふらと回転することを防止する効果がある。
【００２３】
またさらに、前記上部係止突起７ａおよび下部係止突起７ｂが、それぞれ上部係止突起溝８ａおよび下部係止突起溝８ｂを介して連設された複数の突起から構成されている場合においては、この係止突起溝に、通常ポンプ頭部の裏側に存在する補強用リブ１４が嵌合するため、ボトルネッカーの回転を防止する効果はさらに高まり、よりしっかりと装着することができるようになる。
【００２４】
また、ボトルネッカー本体が２枚のフィルム材料により形成され、前記前面パウチ１は、該２枚のフィルムの外縁をヒートシールして成り、前記係止板２は、２枚のフィルムをヒートシールして１枚のシートとしたものである場合には、ボトルネッカーの製造が容易であると共に、係止板２は２枚のフィルムがヒートシールされた丈夫なシートとなるため、ボトルネッカー本体の剛性が高まり、外観上もしっかりと装着でき、また装着したボトルネッカーが破断するようなこともない。
【図面の簡単な説明】
【００２５】
【図１】図１は、本発明に係るボトルネッカーをポンプ式ボトル容器に装着した状態を示した斜視図である。
【図２】図２は、本発明に係るボトルネッカーをポンプ頭部部分に装着した状態を示した断面説明図である。
【図３】図３（ａ）は、本発明に係るボトルネッカーの一実施態様を示した平面説明図である。図３（ｂ）は、図３（ａ）のＸ−Ｘ’断面を示した断面説明図である。
【図４】図４（ａ）は、本発明に係るボトルネッカーの他の実施態様を示した平面説明図である。図４（ｂ）は、図４（ａ）のＹ−Ｙ’断面を示した断面説明図である。
【図５】図５は、図４に示した実施態様をポンプ頭部部分に装着した状態を示した断面説明図である。
【図６】図６は、本発明に係るボトルネッカーを通常のボトルに従来の方法で装着した場合を示した斜視図である。
【発明を実施するための形態】
【００２６】
以下図面を参照しながら、本発明に係るボトルネッカーについて、詳細に説明する。
図１は、本発明に係るボトルネッカーＡをポンプ式ボトル容器に装着した状態を示した斜視図である。また図２は、本発明に係るボトルネッカーをポンプ頭部部分に装着した状態を示した断面説明図である。本発明に係るボトルネッカーは、装着する対象となるボトルをポンプ式ボトル容器に限定したものではないが、特にポンプ式ボトル容器に対して好適に使用できるので、以下の説明はポンプ式ボトル容器を例として説明する。
【００２７】
本発明に係るボトルネッカーＡは、情報表示用の前面パウチ１と、境界線ａを介して該前面パウチ１に連設した係止板２と、前記境界線ａと平行な折目線ｃを介して前記前面パウチ１に連設したパウチ蓋片４と、前記係止板２の領域内に貫設した孔設部６と、前記境界線ａと平行に該孔設部６内を横断する帯部材３ａとを備え、前記孔設部６は、帯部材３ａにより上部孔設部６ａと、下部孔設部６ｂとに二分されていることを特徴とする。
【００２８】
従って、図６に示したように、通常の頭部が特に太くないボトルに対しては、従来の上から挿入する装着方法でボトルの首部に装着できる。すなわち、帯部材３ａをボトルの首部の後になるように広げ、帯部材３ａと係止板２との間にできる空間にボトルの頭部を挿入する。この場合も従来の単に頭部を孔に挿入するだけの装着方法に比較して、ぶかぶかせずしっかりと装着できる特徴がある。また特別の組み立て操作を必要としない。
【００２９】
ポンプ式ボトル容器のように、頭部が偏平であり、かつ頭部の外縁部が首部から張り出したボトル容器の場合には、図１に示したように、ポンプ頭部１２の外縁部を前記上部孔設部６ａと下部孔設部６ｂに通し、前記帯部材３ａがポンプ頭部１２の中央部に水平に配置されるように装着することができる。
【００３０】
ポンプ式ボトル容器は、シャンプーやリンス、手洗い用洗剤などの容器として広く用いられている。これらの容器は、ボトル本体Ｃと、通常上面が平らで、ある程度の大きさをもったポンプ頭部１２を備えており、ポンプ頭部１２には吐出ノズル１３が突出している。またポンプ頭部１２の下には、ポンプ１１があり、ポンプ頭部１２を上から押すことによって、内容液が吐出ノズル１３から吐出されるようになっている。ポンプ頭部１２は、手で押した時に、手が痛くないように、ある程度の面積を必要とする。従って、ポンプ式ボトル容器は、一般的に首部の太さに対して大きな頭部をもったキノコ型の形状を有している。
【００３１】
このような形状的特徴をもった容器に対して、従来のボトルネッカーを装着しようとすると、大きな頭部が通過しうる大きな孔を設けなければならないため、装着後に細い首の部分で、ボトルネッカーがぶかぶかしてだらしのないものとならざるを得なかった。また係止位置が、ボトルの肩の部分になるため、図１に示したようなずんぐりした容器の場合、前面パウチ１を引きずってしまう恐れがあった。
【００３２】
本発明に係るボトルネッカーＡは、前面パウチ１に、境界線ａを介して連設した係止板２に、孔設部６を貫設し、境界線ａと平行に孔設部６内を横断する帯部材３ａを設け、孔設部６が帯部材３ａにより上部孔設部６ａと、下部孔設部６ｂとに二分されるようにしたことにより、ポンプ式ボトル容器のポンプ頭部１２の外縁部を上部孔設部６ａと下部孔設部６ｂに通し、前記帯部材３ａがポンプ頭部１２の中央部に水平に配置されるように装着することができる。
【００３３】
図１の例では、図２に示したように上部孔設部６ａにポンプ頭部１２の吐出口１３の側を通し、反対側の外縁部を下部孔設部６ｂに通している。このようにすることにより、帯部材３ａがポンプ頭部１２の中央部に水平に配置されるため、ボトルネッカーＡがポンプ頭部１２の上面に安定して装着される。なお帯部材３ａは、孔設部６の略中央に設けられ
ることが好ましいが、ポンプ頭部１２の形状等によっては、中央部以外の安定に装着される位置であっても良い。また、ボトルネッカーＡは、ボトルの最上部であるポンプ頭部の上面に装着されるので、図１に示したボトル容器のように高さの低いずんぐりした容器であって、しかも前面パウチ１が少々長いものであっても前面パウチの底を引きずるようなことがない。
【００３４】
図１の例では、帯部材３ａが吐出口１３の方向に対して直角の方向に装着されているが、帯部材３ａが吐出口１３の方向に対して平行になるように装着することもできる。
【００３５】
前面パウチ１は袋状となっており、内部に小物品Ｂを収納することができる。小物品Ｂは、折目線ｃを介して連設された、図１では図示されていないパウチ蓋片４を開いて、前面パウチ１の内部に挿入することができる。
【００３６】
図３（ａ）は、本発明に係るボトルネッカーＡの一実施態様を示した平面説明図であり、図３（ｂ）は、図３（ａ）のＸ−Ｘ’断面を示した断面説明図である。
この実施態様においては、ボトルネッカー本体Ａは２枚のフィルム材料により形成され、前面パウチ１は、２枚のフィルムの外縁をヒートシールして袋状としたものであり、係止板２は、２枚のフィルムをヒートシールして１枚のシートとしたことを特徴とする。なお、前面パウチ１の表裏面や係止板２の表面等に表示される印刷情報は図では、省略してある。
【００３７】
情報表示用の前面パウチ１には、小物品Ｂが収納されており、境界線ａを介して前面パウチ１に連設した係止板２には、孔設部６が貫設され、孔設部６は、境界線ａと平行に孔設部６内を横断する帯部材３ａにより上部孔設部６ａと、下部孔設部６ｂとに二分されている。また前面パウチ１には、境界線ａと平行な折目線ｃを介してパウチ蓋片４が連設されている。パウチ蓋片４は、粘着剤４ａによって前面パウチ１の裏面に接着されている。なお粘着剤４ａは、パウチ蓋片４に塗布してもよいし、前面パウチ１の裏面に塗布してもよい。
【００３８】
この実施態様においては、係止板２が２枚のフィルムをヒートシールして１枚のシートとしたものであるために、係止板２は腰のある剛性の高いものとなり、ボトルネッカーの外観上も好ましいものとなる。また、引き裂き強度の点でも十分なものであり、通常の使用において、孔設部６の周縁が破れたりすることがない。
【００３９】
ボトルネッカーを構成するフィルムとしては、通常軟包装袋に用いられる熱可塑性樹脂フィルムの単体または積層フィルムが用いられる。具体的には、低密度ポリエチレン（ＬＤＰＥ）樹脂、高密度ポリエチレン（ＨＤＰＥ）樹脂、直鎖状低密度ポリエチレン（ＬＬＤＰＥ）樹脂、ポリプロピレン（ＰＰ）樹脂、ポリオレフィン系エラストマー等のポリオレフィン系樹脂や、ポリエチレンテレフタレート（ＰＥＴ）樹脂、ポリブチレンテレフタレート（ＰＢＴ）樹脂、ポリエチレンナフタレート（ＰＥＮ）樹脂等のポリエステル系樹脂、ポリアミド系樹脂、ポリ塩化ビニル（ＰＶＣ）樹脂、ポリ塩化ビニリデン（ＰＶＤＣ）樹脂等の合成樹脂フィルムが使用される。
【００４０】
図３に示したボトルネッカーをポンプ頭部に装着した状態は、図２に示したような状態となる。なお図２の実施態様においては、係止板２が２層にはなっていない。
【００４１】
図４（ａ）は、本発明に係るボトルネッカーの他の実施態様を示した平面説明図であり、図４（ｂ）は、図４（ａ）のＹ−Ｙ’断面を示した断面説明図である。また、図５は、図４に示した実施態様をポンプ頭部部分に装着した状態を示した断面説明図である。
この実施態様においては、上部孔設部６ａおよび下部孔設部６ｂの、前記帯部材３ａに対
向する外周に、それぞれ上部係止突起７ａ、下部係止突起７ｂを設けたことを特徴とする。またさらに、上部係止突起７ａおよび下部係止突起７ｂは、それぞれ上部係止突起溝８ａおよび下部係止突起溝８ｂを介して連設された複数の突起から構成されていることを特徴とする。
【００４２】
孔設部６の帯部材３ａに対向する外周に上部係止突起７ａおよび下部係止突起７ｂを設けた場合、図５に示したようにポンプ頭部１２の裏側のくぼみにこの係止突起が納まって引っ掛かるため、ボトルネッカーがポンプ頭部上で水平に回転することを抑制する効果がある。そのため、装着したボトルネッカーが不必要に回転して取り付け位置がばらばらになり、乱雑な印象を与えて陳列効果を妨げたりすることがない。
なお係止突起は、上部または下部のいずれか片側だけでも一定の効果はある。また係止突起の形状については、図のような半円形に限らず四角形や三角形など任意の形状とすることができる。
【００４３】
またさらに上部係止突起７ａおよび下部係止突起７ｂを、それぞれ上部係止突起溝８ａおよび下部係止突起溝８ｂを介して連設された複数の突起から構成した場合には、図５に示したように、ポンプ頭部１２の裏側に通常設けられる補強リブ１４に、この係止突起溝が嵌合するため、ボトルネッカーの回転抑制効果はさらに向上する。
【００４４】
従って、係止突起や係止突起溝を設ける場合には、目的とするポンプ式ボトル容器のポンプ頭部の裏面の補強リブ構造に合わせて個数や配置、大きさなどを決めるとよい。
【００４５】
本発明に係るボトルネッカーにおける帯部材３ａの形状については、図３（ａ）、図４（ａ）に示したような巾が一定の帯状に限定されるものではなく、巾も含めて、任意の輪郭をもった形状とすることができる。また帯部材３ａの表面には、デザイン性を考慮した任意の色彩、絵柄、文字等を印刷することができる。本発明に係るボトルネッカーは、応用範囲の広い、極めて有用な発明であるといえる。
【符号の説明】
【００４６】
Ａ・・・ボトルネッカー
１・・・前面パウチ
ａ・・・境界線
２・・・係止板
３ａ・・・帯部材
ｃ・・・折目線
４・・・パウチ蓋片
４ａ・・・粘着剤
６・・・孔設部
６ａ・・・上部孔設部
６ｂ・・・下部孔設部
７ａ・・・上部係止突起
７ｂ・・・下部係止突起
８ａ・・・上部係止突起溝
８ｂ・・・下部係止突起溝
Ｂ・・・小物品
Ｃ・・・ボトル本体
１１・・・ポンプ
１２・・・ポンプ頭部
１３・・・吐出ノズル
１４・・・補強リブ
【図１】
2011225255.tif 000003
【図２】
2011225255.tif 000004
【図３】
2011225255.tif 000005
【図４】
2011225255.tif 000006
【図５】
2011225255.tif 000007
【図６】
2011225255.tif 000008